【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
コンピュータシステムによって実施される方法であって、当該方法は：
ホログラムオブジェクトを識別するステップと；
物理的オブジェクトを識別するステップであって、前記物理的オブジェクトは、前記物理的オブジェクトと前記ホログラムオブジェクトに割り当てられた１つ以上の化学的又は温度特性に基づいて前記物理的オブジェクトと前記ホログラムオブジェクトとの間に存在にする所定の化学的又は温度関係に従って前記ホログラムオブジェクトに関連付けられている、ステップと、
前記ホログラムオブジェクトと前記物理的オブジェクトとの間の近接性に対する変化を検出するステップと、
前記ホログラムオブジェクトと前記物理的オブジェクトとの間の近接性の前記検出された変化に応答して、前記所定の化学的又は温度関係に基づいて、新たなホログラムオブジェクト又は変更されたホログラムオブジェクトを生成するステップであって、前記新たな又は変更されたホログラムオブジェクトは、前記所定の化学的又は温度関係に基づいて前記ホログラムオブジェクトと前記物理的オブジェクトとの間の化学的又は温度反応をシミュレートし、前記シミュレートされた化学的又は温度反応は、前記ホログラムオブジェクトと前記物理的オブジェクトとの間の前記シミュレートされた化学的又は温度反応の進行又は強さの程度が時間期間に依存するように、前記ホログラムオブジェクトと前記物理的オブジェクトとの間の前記近接性だけでなく、前記ホログラムオブジェクトが前記物理的オブジェクトに対して近接距離内にある時間期間にも基づいており、前記ホログラムオブジェクトは、前記物理的オブジェクトを含む異なる物理的オブジェクトとの物理的関係に従って異なるように反応するように構成される、ステップと、
前記新たな又は変更されたホログラムオブジェクトのマッピングを格納するステップと、
を含む、方法。
【請求項２】
前記物理的オブジェクトに１つ以上の仮想特性を割り当てるステップを更に含み、前記１つ以上の仮想特性は、前記物理的オブジェクトと前記ホログラムオブジェクトとの間の前記所定の化学的又は温度関係に従って、前記ホログラムオブジェクトの１つ以上の反応を少なくとも部分的に定義する、
請求項１に記載の方法。
【請求項３】
前記の仮想特性のうちの１つ以上が、前記物理的オブジェクトの実際の物理的特性に対応しない、
請求項２に記載の方法。
【請求項４】
前記ホログラムオブジェクトに１つ以上の特性を割り当てるステップを更に含み、前記１つ以上の特性は、前記物理的オブジェクトと前記ホログラムオブジェクトとの間の前記所定の化学的又は温度関係に従って、前記ホログラムオブジェクトの１つ以上の反応を少なくとも部分的に定義する、
請求項２に記載の方法。
【請求項５】
前記ホログラムオブジェクトに１つ以上の特性を割り当てるステップを更に含み、前記１つ以上の特性は、前記物理的オブジェクトと前記ホログラムオブジェクトとの間の前記所定の化学的又は温度関係に従って、前記ホログラムオブジェクトの１つ以上の反応を少なくとも部分的に定義する、
請求項１に記載の方法。
【請求項６】
前記ホログラムオブジェクトに対する前記物理的オブジェクトの方向における変化を検出するステップを更に含む、
請求項１に記載の方法。
【請求項７】
前記近接性に対する前記検出された変化に応答して、前記ホログラムオブジェクトを変更するステップを更に含み、前記ホログラムオブジェクトの前記変更は、前記近接性に対する前記検出された変化の程度に従って異なる、
請求項１に記載の方法。
【請求項８】
前記近接性に対する前記検出された変化に応答して、前記ホログラムオブジェクトを変更するステップを更に含み、前記ホログラムオブジェクトの前記変更は、前記ホログラムオブジェクトのオーディオビジュアル表示に対する変更を含む、
請求項１に記載の方法。
【請求項９】
前記近接性に対する前記検出された変化に応答して、前記ホログラムオブジェクトを変更するステップを更に含み、前記ホログラムオブジェクトの前記変更は、少なくとも１つ以上の追加入力が受け取られるまで聴覚的にも視覚的にも現れない前記ホログラムオブジェクトの設定又は状態に対する変更を含む、
請求項１に記載の方法。
【請求項１０】
ホログラムと１つ以上の物理的オブジェクトとの間の物理的関係と、該物理的関係の時間期間との双方に従って新たなホログラムを生成するかホログラムを変更するために構成されるコンピュータシステムであって、当該コンピュータシステムは：
１つ以上のプロセッサと；
前記１つ以上のプロセッサによって実行可能であり、当該コンピュータシステムに、少なくとも、
ホログラムオブジェクトを識別することと、
物理的オブジェクトを識別することであって、前記物理的オブジェクトは、前記物理的オブジェクトと前記ホログラムオブジェクトに割り当てられた１つ以上の化学的又は温度特性に基づいて、前記物理的オブジェクトと前記ホログラムオブジェクトとの間に存在する所定の化学的又は温度関係に従って前記ホログラムオブジェクトに関連付けられていることと、
前記物理的オブジェクトと前記ホログラムオブジェクトとの間の近接性に対する変化を検出することと、
前記ホログラムオブジェクトと前記物理的オブジェクトとの間の前記近接性に対する前記検出された変化に応答して、前記所定の化学的又は温度関係に基づいて、新たなホログラムオブジェクト又は変更されたホログラムオブジェクトを生成することであって、該新たな又は変更されたホログラムオブジェクトは、前記所定の化学的又は温度関係に基づいて前記ホログラムオブジェクトと前記物理的オブジェクトとの間の反応をシミュレートし、前記シミュレートされた化学的又は温度反応は、前記ホログラムオブジェクトと前記物理的オブジェクトとの間の前記シミュレートされた化学的又は温度反応の進行又は強さの程度が時間期間に依存するように、前記ホログラムオブジェクトと前記物理的オブジェクトとの間の前記近接性だけでなく、前記ホログラムオブジェクトが前記物理的オブジェクトに対して近接距離内にある時間期間にも基づいており、前記ホログラムオブジェクトは、前記物理的オブジェクトを含む異なる物理的オブジェクトとの物理的関係に従って異なるように反応するように構成されることと、
前記新たな又は変更されたホログラムオブジェクトのマッピングを格納することと、
を実行させるコンピュータ実行可能命令を格納する１つ以上のハードウェアストレージデバイスと；
を備える、コンピュータシステム。
【請求項１１】
前記コンピュータ実行可能命令はまた、当該コンピュータシステムに、前記物理的オブジェクトに１つ以上の仮想特性を割り当てさせるように実行可能であり、前記１つ以上の仮想特性は、前記物理的オブジェクトと前記ホログラムオブジェクトとの間の前記所定の化学的又は温度関係に従って、前記ホログラムオブジェクトの１つ以上の反応を少なくとも部分的に定義する、
請求項１０に記載のコンピュータシステム。
【請求項１２】
前記コンピュータ実行可能命令はまた、当該コンピュータシステムに、前記ホログラムオブジェクトに１つ以上の特性を割り当てさせるように実行可能であり、前記１つ以上の特性は、前記物理的オブジェクトと前記ホログラムオブジェクトとの間の前記化学的又は温度関係に従って、前記ホログラムオブジェクトの１つ以上の反応を少なくとも部分的に定義する、
請求項１０に記載のコンピュータシステム。
【請求項１３】
前記近接性に対する前記検出された変化に応答して前記新たなホログラムオブジェクトが生成される、
請求項１０に記載のコンピュータシステム。
【請求項１４】
前記識別されたホログラムオブジェクトは、変更されずに残る、
請求項１３に記載のコンピュータシステム。
【請求項１５】
前記コンピュータ実行可能命令は更に、当該コンピュータシステムに、前記ホログラムオブジェクトを変更させ、前記ホログラムオブジェクトを変更することは、前記物理的オブジェクトと前記ホログラムオブジェクトとの間の前記近接性に対する前記検出された変化の程度に従って異なる、
請求項１３に記載のコンピュータシステム。
【請求項１６】
前記物理的オブジェクトと前記ホログラムオブジェクトとの間の前記近接性に対する前記検出された変化はまた、前記ホログラムオブジェクトに対する前記物理的オブジェクトの向きにおける変化を検出することを含む、
請求項１０に記載のコンピュータシステム。
【請求項１７】
１つ以上のプロセッサによって実行可能なコンピュータ実行可能命令を格納する１つ以上のハードウェアストレージデバイスであって、前記コンピュータ実行可能命令はコンピュータシステムに、少なくとも：
ホログラムオブジェクトを識別することと、
物理的オブジェクトを識別することであって、前記物理的オブジェクトは、前記物理的オブジェクトと前記ホログラムオブジェクトに割り当てられた１つ以上の化学的又は温度特性に基づいて、前記物理的オブジェクトと前記ホログラムオブジェクトとの間に存在する所定の化学的又は温度関係に従って前記ホログラムオブジェクトに関連付けられていることと、
前記物理的オブジェクトと前記ホログラムオブジェクトとの間の近接性に対する変化を検出することと、
前記物理的オブジェクトと前記ホログラムオブジェクトとの間の前記近接性に対する前記検出された変化に応答して、前記所定の化学的又は温度関係に基づいて、新たなホログラムオブジェクト又は変更されたホログラムオブジェクトを生成することであって、該新たな又は変更されたホログラムオブジェクトは、前記所定の化学的又は温度関係に基づいて前記ホログラムオブジェクトと前記物理的オブジェクトとの間の反応をシミュレートし、前記シミュレートされた化学的又は温度反応は、前記ホログラムオブジェクトと前記物理的オブジェクトとの間の前記シミュレートされた化学的又は温度反応の進行又は強さの程度が時間期間に依存するように、前記ホログラムオブジェクトと前記物理的オブジェクトとの間の前記近接性だけでなく、前記ホログラムオブジェクトが前記物理的オブジェクトに対して近接距離内にある時間期間にも基づいており、前記ホログラムオブジェクトは、前記物理的オブジェクトを含む異なる物理的オブジェクトとの物理的関係に従って異なるように反応するように構成されることと、
前記新たな又は変更されたホログラムオブジェクトのマッピングを格納することと、
を実行させるコンピュータ実行可能命令を格納する１つ以上のハードウェアストレージデバイス。